(57)【特許請求の範囲】
【請求項１】
外部より順次設定されて受信される受信チャンネルの映像信号を記録媒体に記録し、記録された映像信号のうち選択可能な受信チャンネルの映像信号を再生するに際し、設定された受信チャンネルに係る圧縮符号化された映像信号を時間軸圧縮してランダムアクセス可能な記録媒体への記録と、この記録された信号の再生とを交互に行ないつつ、再生信号の時間軸伸長と復号化とを行ってモニタ表示用信号を得る映像信号の記録再生方法において、
前記受信チャンネルの設定が変更されたときに受信チャンネルの変更信号を出力する第１のステップと、
前記変更信号の出力時に得られた映像信号の媒体への記録位置に係る第１の位置情報を得る第２のステップと、
前記受信チャンネル変更時点から所定時間の間に前記受信チャンネルの変更信号が検出される場合には新たに検出された時点を受信チャンネル変更時点とし、前記受信チャンネル変更時点から前記所定時間の間に前記受信チャンネルの変更信号が検出されない場合には直前に検出された受信チャンネル変更時点で得られる映像信号の媒体への記録位置に係る第２の位置情報を得る第３のステップと、
前記選択可能な受信チャンネルの映像信号の再生を、前記第１の位置情報と前記第２の位置情報とで指定される記録部分をスキップして行う第４のステップと、
を有することを特徴とする映像信号の記録再生方法。
【請求項２】
外部より順次設定されて受信される受信チャンネルの映像信号を記録媒体に記録し、記録された映像信号のうち選択可能な受信チャンネルの映像信号を再生するに際し、設定された受信チャンネルに係る圧縮符号化された映像信号を時間軸圧縮してランダムアクセス可能な記録媒体への記録と、この記録された信号の再生とを交互に行ないつつ、再生信号の時間軸伸長と復号化とを行ってモニタ表示用信号を得る映像信号の記録再生方法において、
前記設定される受信チャンネルが順次変更された場合、前記順次変更されて受信される複数の受信チャンネルの番組部分のうち、受信された時間間隔が所定の時間間隔に満たない受信チャンネルの番組部分をスキップして再生することを特徴とする映像信号の記録再生方法。
【請求項３】
外部より順次設定されて受信される受信チャンネルの映像信号を記録媒体に記録し、記録された映像信号のうち選択可能な受信チャンネルの映像信号を再生するに際し、設定された受信チャンネルに係る圧縮符号化された映像信号を時間軸圧縮してランダムアクセス可能な記録媒体への記録と、この記録された信号の再生とを交互に行ないつつ、再生信号の時間軸伸長と復号化とを行ってモニタ表示用信号を得る映像信号記録再生装置において、
前記受信チャンネルの設定が変更されたときに受信チャンネルの変更信号を出力するチャンネル変更検出手段と、
前記変更信号の出力時に得られた映像信号の媒体への記録位置に係る第１の位置情報を得ると共に、前記受信チャンネル変更時点から所定時間の間に前記受信チャンネルの変更信号が検出される場合には新たに検出された時点を受信チャンネル変更時点とし、前記受信チャンネル変更時点から前記所定時間の間に前記受信チャンネルの変更信号が検出されない場合には直前に検出された受信チャンネル変更時点で得られる映像信号の媒体への記録位置に係る第２の位置情報を得る位置情報取得手段と、
前記選択可能な受信チャンネルの映像信号の再生を、前記第１の位置情報と前記第２の位置情報とで指定される記録部分をスキップして行う読み出し制御手段と、
を具備して構成することを特徴とする映像信号記録再生装置。
【請求項４】
外部より順次設定されて受信される受信チャンネルの映像信号を記録媒体に記録し、記録された映像信号のうち選択可能な受信チャンネルの映像信号を再生するに際し、設定された受信チャンネルに係る圧縮符号化された映像信号を時間軸圧縮してランダムアクセス可能な記録媒体への記録と、この記録された信号の再生とを交互に行ないつつ、再生信号の時間軸伸長と復号化とを行ってモニタ表示用信号を得る機能をコンピュータを実行させて行う映像信号記録再生装置用プログラムであって、
前記受信チャンネルの設定が変更されたときに受信チャンネルの変更信号を出力する第１のステップと、
前記変更信号の出力時に得られた映像信号の媒体への記録位置に係る第１の位置情報を得る第２のステップと、
前記受信チャンネル変更時点から所定時間の間に前記受信チャンネルの変更信号が検出される場合には新たに検出された時点を受信チャンネル変更時点とし、前記受信チャンネル変更時点から前記所定時間の間に前記受信チャンネルの変更信号が検出されない場合には直前に検出された受信チャンネル変更時点で得られる映像信号の媒体への記録位置に係る第２の位置情報を得る第３のステップと、
前記選択可能な受信チャンネルの映像信号の再生を、前記第１の位置情報と前記第２の位置情報とで指定される記録部分をスキップして行う第４のステップと、
を少なくとも有して前記装置を制御することを特徴とする映像信号記録再生用プログラム。
【発明の詳細な説明】
【０００１】
【発明の属する技術分野】
本発明は、受信チャンネルを設定してＴＶ放送の映像、及び音声信号を得てハードディスクなどの記録媒体に記録しながら、その記録中の映像信号を読み出すようにした同時記録再生を行う映像信号の記録再生方法、映像信号記録再生装置、及び映像信号記録再生用プログラムに関するものである。
【０００２】
【従来の技術】
記録媒体としてハードディスクなどのランダムアクセス可能な情報信号記録媒体を用いた映像信号記録再生装置は、記録、再生のためのアクセス時間が短いなどの利点から、ＴＶ放送の複数の番組を同時に記録したり、放映中の映像信号の記録と再生を同時に行うなど、その利点を生かした便利な機能を有している。
【０００３】
そして、この様な同時記録再生機能を有する映像信号記録再生装置は、放送中の番組を現在から過去に連続的にタイムシフトしながら視聴できるキャッシュ再生や過去に記録を開始した映像信号を、現在記録中の映像信号に追いつくようにして再生できる追っかけ再生などの便利な機能を有しており、従来のタイムシフトマシンとして利用されているＶＴＲと共に多く市場に導入されていくものと予想されている。
【０００４】
その従来のＶＴＲにおける記録信号のモニタは、ＶＴＲに内蔵されるＴＶチューナの信号を直接モニタＴＶに供給して視聴するようになされており、そのモニタ映像は記録途中の映像信号のモニタはできるものの、実際にどのようにビデオテープに記録されているか、そしてその記録映像の画質劣化、又は何らかの原因により記録がなされない状態にあるかなど、何らかの異常がある場合でもそれを記録時に知ることはできていない。
【０００５】
それに対し、同時記録再生機能を有する装置では、記録中の映像をリアルタイムで再生しながら記録を行えるため、記録時の不具合についてもその時点で知ることができ、記録ミスを最低限におさえた記録を行なうことができる。
【０００６】
そして、上述したように記録中に再度見たい映像、または見逃してしまった映像があるときには、簡易な操作により過去の映像を見ることができるなど、ハードディスクを用いて行う記録再生の機能は視聴者にとって便利な機能であり、そのような機能を搭載したＰＶＲ（personal video recorder）の開発が進んでいる。
【０００７】
【発明が解決しようとする課題】
ところで、視聴者においてそのような便利な機能を有する装置を使用する場合、従来のテレビ視聴で良くなされる視聴チャンネルを頻繁に切り替えながら複数の番組を同時視聴するような利用方法もあり、そのような場合ではハードディスクレコーダにも複数の番組が頻繁に切り替えられて記録されることになる。
【０００８】
そのチャンネルの頻繁な切り替えは、番組を視聴中の視聴者の意志によりなされるもので、そのように複数の記録された番組を後日視聴するような場合、連続性のない細切れになされた番組の視聴に対して違和感を生じる。
【０００９】
そして、その違和感は、単に番組の一部が欠けて記録されたものよりも、カテゴリの異なる番組が雑多に表示されるような場合の方がより不快に感じられる。また、ハードディスクレコーダは、キャッシュ再生、及び追っかけ再生などの便利な機能の他に、従来のＶＴＲで行なわれていたタイムシフトマシンとしての利用に対しても十分な機能の提供を前提とするものでなければならない。
【００１０】
そこで本発明は、そのような便利な機能を有する映像信号記録再生装置において、仮に記録中である映像信号の受信チャンネルが切り替えられてしまうような場合であっても、その受信チャンネルが切り替えられて記録される映像信号の乱れを少なくし、また違和感も少なく再生でき、さらにキャッシュ再生時にチャンネル切り替え動作がなされたときには操作者にキャッシュ再生中であることを認識させる等の機能達成するための映像信号の記録再生方法、映像信号記録再生装置、及び映像信号記録再生用プログラムを提供しようとするものである。
【００１１】
【課題を解決するための手段】
本発明は、上記課題を解決するために、以下の１）〜４）の手段より成るものである。
すなわち、
【００１２】
１）  外部より順次設定されて受信される受信チャンネルの映像信号を記録媒体に記録し、記録された映像信号のうち選択可能な受信チャンネルの映像信号を再生するに際し、設定された受信チャンネルに係る圧縮符号化された映像信号を時間軸圧縮してランダムアクセス可能な記録媒体への記録と、この記録された信号の再生とを交互に行ないつつ、再生信号の時間軸伸長と復号化とを行ってモニタ表示用信号を得る映像信号の記録再生方法において、
前記受信チャンネルの設定が変更されたときに受信チャンネルの変更信号を出力する第１のステップ（７９、７６）と、
前記変更信号の出力時に得られた映像信号の媒体への記録位置に係る第１の位置情報を得る第２のステップ（７６）と、
前記受信チャンネル変更時点から所定時間の間に前記受信チャンネルの変更信号が検出される場合には新たに検出された時点を受信チャンネル変更時点とし、前記受信チャンネル変更時点から前記所定時間の間に前記受信チャンネルの変更信号が検出されない場合には直前に検出された受信チャンネル変更時点で得られる映像信号の媒体への記録位置に係る第２の位置情報を得る第３のステップ（７６）と、
前記選択可能な受信チャンネルの映像信号の再生を、前記第１の位置情報と前記第２の位置情報とで指定される記録部分をスキップして行う第４のステップ（６５、７６）と、
を有することを特徴とする映像信号の記録再生方法。
２）  外部より順次設定されて受信される受信チャンネルの映像信号を記録媒体に記録し、記録された映像信号のうち選択可能な受信チャンネルの映像信号を再生するに際し、設定された受信チャンネルに係る圧縮符号化された映像信号を時間軸圧縮してランダムアクセス可能な記録媒体への記録と、この記録された信号の再生とを交互に行ないつつ、再生信号の時間軸伸長と復号化とを行ってモニタ表示用信号を得る映像信号の記録再生方法において、
前記設定される受信チャンネルが順次変更された場合、前記順次変更されて受信される複数の受信チャンネルの番組部分のうち、受信された時間間隔が所定の時間間隔に満たない受信チャンネルの番組部分をスキップして再生することを特徴とする映像信号の記録再生方法。
３）  外部より順次設定されて受信される受信チャンネルの映像信号を記録媒体に記録し、記録された映像信号のうち選択可能な受信チャンネルの映像信号を再生するに際し、設定された受信チャンネルに係る圧縮符号化された映像信号を時間軸圧縮してランダムアクセス可能な記録媒体への記録と、この記録された信号の再生とを交互に行ないつつ、再生信号の時間軸伸長と復号化とを行ってモニタ表示用信号を得る映像信号記録再生装置において、
前記受信チャンネルの設定が変更されたときに受信チャンネルの変更信号を出力するチャンネル変更検出手段（７９、７６）と、
前記変更信号の出力時に得られた映像信号の媒体への記録位置に係る第１の位置情報を得ると共に、前記受信チャンネル変更時点から所定時間の間に前記受信チャンネルの変更信号が検出される場合には新たに検出された時点を受信チャンネル変更時点とし、前記受信チャンネル変更時点から前記所定時間の間に前記受信チャンネルの変更信号が検出されない場合には直前に検出された受信チャンネル変更時点で得られる映像信号の媒体への記録位置に係る第２の位置情報を得る位置情報取得手段（７６）と、
前記選択可能な受信チャンネルの映像信号の再生を、前記第１の位置情報と前記第２の位置情報とで指定される記録部分をスキップして行う読み出し制御手段（６５、７６）と、
を具備して構成することを特徴とする映像信号記録再生装置。
４）  外部より順次設定されて受信される受信チャンネルの映像信号を記録媒体に記録し、記録された映像信号のうち選択可能な受信チャンネルの映像信号を再生するに際し、設定された受信チャンネルに係る圧縮符号化された映像信号を時間軸圧縮してランダムアクセス可能な記録媒体への記録と、この記録された信号の再生とを交互に行ないつつ、再生信号の時間軸伸長と復号化とを行ってモニタ表示用信号を得る機能をコンピュータを実行させて行う映像信号記録再生装置用プログラムであって、
前記受信チャンネルの設定が変更されたときに受信チャンネルの変更信号を出力する第１のステップ（Ｓ１１）と、
前記変更信号の出力時に得られた映像信号の媒体への記録位置に係る第１の位置情報を得る第２のステップ（Ｓ１２）と、
前記受信チャンネル変更時点から所定時間の間に前記受信チャンネルの変更信号が検出される場合には新たに検出された時点を受信チャンネル変更時点とし、前記受信チャンネル変更時点から前記所定時間の間に前記受信チャンネルの変更信号が検出されない場合には直前に検出された受信チャンネル変更時点で得られる映像信号の媒体への記録位置に係る第２の位置情報を得る第３のステップ（Ｓ１６）と、
前記選択可能な受信チャンネルの映像信号の再生を、前記第１の位置情報と前記第２の位置情報とで指定される記録部分をスキップして行う第４のステップ（Ｓ１８）と、
を少なくとも有して前記装置を制御することを特徴とする映像信号記録再生用プログラム。
【００１３】
【発明の実施の形態】
以下、本発明の映像信号の記録再生方法、映像信号記録再生装置、及び映像信号記録再生用プログラムの実施の形態につき、好ましい実施例により説明する。図１に、その映像信号の記録再生方法を採用した映像信号記録再生装置の概略ブロック図を示し、その構成と動作について概説する。
【００１４】
同図において、この映像信号記録再生装置４０は、記録部５０、媒体部６０、及び再生部７０より成り、再生部７０にはモニタＴＶ９０が接続されると共に、リモコン９５が赤外線を介して送受信可能となっている。
【００１５】
そして、記録部５０は、ＴＶチューナ５１、Ａ／Ｄ変換器５２、ＭＰＥＧ−２エンコーダ５３、ストリームアナライザ５４、及びバッファメモリ５５より構成されている。また、媒体部６０はハードディスク記録再生器６１、ハードディスク６３、及び書き込み読み出し制御器６５より構成されている。そして、再生部７０はバッファメモリ７１、ＭＰＥＧ−２デコーダ７２、ＯＳＤ（On Screen Display）７３、Ｄ／Ａ変換器７４、マイコン７６、一時記憶メモリ７８、及びリモコンインタフェース７９より構成されている。
【００１６】
次に、それらの構成による動作について概説する。
まず、受信するＴＶチャンネルはリモコン９５の操作により変調された赤外線信号が発光され、その赤外線信号がリモコンインタフェース７９により受信され、その得られた受信チャンネル情報が記録部４０内のＴＶチューナ５１に供給される。
【００１７】
ＴＶチューナ５１では、アンテナより入来する放送電波の内、選択された受信チャンネルの信号が受信され、得られたビデオ信号はＡ／Ｄ変換器５２でディジタル信号に変換され、ＭＰＥＧ−２エンコーダ５３に供給される。
【００１８】
ＭＰＥＧ−２エンコーダ５３では、供給された信号をＩＳＯ／ＩＥＣ（International Organization for Standardization / International Electrotechnical Commission）で定められたＭＰＥＧ−２（moving picture experts group - 2）標準規格に従って圧縮符号化処理を行い、その処理した信号をストリームアナライザ５４に供給する。
【００１９】
ストリームアナライザ５４では、圧縮符号化された信号の形式が解析され、その解析信号と共に圧縮符号化信号がバッファメモリ５５に供給される。バッファメモリ５５では記録（recording）用信号を一時記憶し、記録順にその信号をハードディスク記録再生器６１へと出力する。
【００２０】
そのハードディスク記録再生器６１では、供給された信号をセクタサイズごとに分割し、その分割された信号を書き込み読出し制御器６５の動作制御に基づきハードディスク６３に供給し、ここで図示しない円盤状記録媒体に記録される。
【００２１】
このようにして、チャンネル選択がなされて受信されたビデオ信号及び図示しない付随される音響信号は圧縮符号化された映像信号及び音響信号とされ、それらの信号はセクタサイズ毎に分割されてハードディスク６３に記録されるようになされる。
【００２２】
次に、上述のようにしてハードディスク６３に記録された信号の再生について述べる。
まず、視聴者によりリモコン９５の再生ボタンが操作された場合には、その操作内容は変調された赤外光線としてリモコンインタフェース７９を介してマイコン７６に供給される。
【００２３】
そのマイコン７６からは、操作内容に応じて生成された制御信号が書き込み読み出し制御器６５に供給され、この制御信号に基づいてハードディスク６３の指定された個所の信号が読み出され、その信号がハードディスク記録再生器６１に供給される。
【００２４】
ハードディスク記録再生器６１では、その供給された信号の増幅及び周波数応答特性などの補正が行われ、その補正された信号がデコーダ部７０のバッファメモリ７１に供給される。バッファメモリ７１では、その映像信号を一時記憶し、この一時記憶された信号はＭＰＥＧ−２デコーダ７２からの要求に応じてＭＰＥＧ−２デコーダ７２内に供給される。
【００２５】
そのＭＰＥＧ−２デコーダ７２では、圧縮符号化された映像信号がＭＰＥＧ−２標準に基づいて復号化され、得られたディジタルビデオ信号はＯＳＤ（On Screen Display）７３を介してＤ／Ａ変換器７４に供給される。ＯＳＤ７３では、必要に応じてモニタＴＶ９０に表示される映像信号に多重して表示する例えばＣＨ（チャンネル）表示信号も生成し、その表示信号を直接モニタＴＶ９０に供給したり、復号化された映像信号に多重された合成信号として、Ｄ／Ａ変換器７４を介してモニタＴＶ９０に供給される構成となっている。
【００２６】
以上、アナログ地上放送の受信チャンネルを設定して受信される映像信号の圧縮符号化及び時間軸圧縮を行ってハードディスクに記録する。そして、記録した信号を再生して時間軸伸長と復号化とを行って表示用の映像信号を得るハードディスクレコーダの構成と動作について概説した。このときの記録と再生は時間軸圧縮された信号が高速ランダムアクセス可能なハードディスクに時分割された信号として記録と再生がなされるため、連続信号として供給される映像信号の記録及び再生の動作を同時に行うことが出来ている。
【００２７】
そして、アナログ地上放送の場合では映像信号がアナログＦＭ変調されて伝送されているため、圧縮符号化を行って媒体に記録するようにしているが、例えばＭＰＥＧ−２方式により圧縮符号化のなされた映像信号として放送される際の記録では、Ａ／Ｄ変換及びＭＰＥＧ−２エンコードの信号処理を省くことができる。
【００２８】
図２に、ディジタル放送を受信して記録及び再生を行う映像信号記録再生装置の構成を示す。
同図において、前述の図１に示した映像信号記録再生装置と同一機能のブロックには同一の符号を付し、その動作について説明する。
【００２９】
まず、映像信号記録再生装置４０ａは衛星放送受信アンテナより供給される信号はＢＳチューナ５１ａで受信される。そこではリモコン９５で選定された放送チャンネルの信号が受信され、ＭＰＥＧ−２により符号化された映像信号はミューティング回路５８に供給される。
【００３０】
そこでは、供給された映像信号をストリームアナライザ５４に供給するが、正規の映像信号が供給されないときには、その信号の供給を停止する。例えばチャンネル変更の操作がなされ、ＢＳチューナ５１ａより正常な映像信号が供給されないと想定される期間はその信号のストリームアナライザ５４への供給を停止する。または、ＢＳチューナ５１ａより供給される例えば同期捕捉完了信号、又は正常な復調動作を検出する信号が得られるまでの期間、ストリームアナライザ５４への供給を停止するようにしてもよい。
【００３１】
その停止に係る制御は、チャンネル変更操作情報がデコーダ部７０のマイコン７６により検出される。マイコン７６からはＢＳチューナ５１ａより正常な映像信号が復調されるまでの期間に係る制御信号を生成し、その生成された制御信号をミューティング回路５８に供給する。
【００３２】
ストリームアナライザ５４に供給された映像信号は、前述の映像信号記録再生装置４０における動作と同様にして、ハードディスク６３への映像信号の記録、及び記録信号の再生を同時に行うようにしている。
【００３３】
以上、ＢＳディジタル放送で放送される映像信号の記録及び再生について述べた。ＭＰＥＧ−２方式により符号化された信号の放送はＢＳディジタル放送の他にディジタル地上波放送でもなされる。そして、ディジタル地上波放送を受信する映像信号記録再生装置は図２に示したと同様の構成により実現できる。
【００３４】
また一方、アナログＣＳ（Communication Satellite）放送を受信して行う記録及び再生は、アナログＣＳチューナより供給されるアナログ映像信号を映像信号記録再生装置４０の図示しないビデオ信号外部入力端子に入力する。そこに入力された信号はＡ／Ｄ変換器５２に供給され、それ以降は前述と同様な動作がなされる。
【００３５】
さらに、ディジタルＣＳチューナよりＭＰＥＧ−２で符号化された映像信号の場合では、得られる符号化されたディジタル映像信号を、図示しない外部入力端子を介して映像信号記録再生装置４０ａのミューティング回路５８に供給する。そして、デコーダ部７０のリモコンインタフェース７９では図示しないディジタルＣＳリモコンのチャンネル変更操作に係り発光される赤外光を検出して受信チャンネル情報を得るようにする。
【００３６】
そこで検出された受信チャンネルの変更操作検出信号がマイコン７６に供給されることにより、ディジタルＣＳチューナによる受信においても上述と同様な動作が行なわれる。
【００３７】
以上、アナログ放送、及びディジタル放送を受信して行う記録及び再生の動作について述べた。そして、ハードディスクに対して行われる記録及び再生動作は、ディジタル映像信号がバッファメモリ５５により時間軸圧縮され、ハードディスク記録再生器６１によりセクタサイズ毎に分割されて、高速でハードディスクに記録される。
【００３８】
そのセクタサイズ毎に分割されて記録された信号は再生され、セクタサイズ毎に分割された信号は結合されてバッファメモリ７１に供給される。そこでは時間軸伸長され、ＭＰＥＧ−２デコーダ７２により復号化されてアナログ映像信号が得られる。その時間軸圧縮及び時間軸伸長がなされることによりハードディスク上の離れた位置での記録及び再生が同時に行われる。
【００３９】
その同時録再により、現在記録中の番組を記録しながら過去に記録した部分を再生するいわゆる後追い再生を行う。そして、所定の時間分のビットストリーム記録領域に順次映像及び音声情報を記録し、その領域の最後まで記録したときは、領域中の一番古い記録に対して新しい情報を上書きして記録しながら、所定時間分の映像音声情報を過去にさかのぼって再生することができるキャッシュ録再機能を実現している。
【００４０】
そのキャッシュ録再により、通常は記録直後の再生映像をリアルタイム画像として視聴し、視聴者の操作によるリアルタイム映像から過去に記録した映像にタイムシフトしながらスムーズな再生映像を得ている。
【００４１】
図３に、そのキャッシュ録再を行うときのビットストリームについて模式的に示す。
同図において、ハードディスク６３に記録される映像信号のビットストリームの時間関係を示したもので、▲１▼はハードディスクより読み出したビットストリームを復号している時点であり、▲２▼は符号化されたビットストリームを記録している時点である。
【００４２】
そして、▲１▼より左側に示される（１）は過去に遡って再生可能なビットストリームの部分を示し、▲２▼より右側の（３）は過去にビットストリームを記録した領域を示し、この部分に順次新しいビットストリームを記録する。
【００４３】
▲１▼と▲２▼との間にある領域（２）は、例えばＶＢＶ（video buffering verifier）バッファとして動作するバッファメモリ７１に所定量のビットストリームが一時記憶されてなく、ＭＰＥＧ−２デコーダにビットストリームを供給できなかったり、あるいは、デコーダが安定して映像、音声をデコードするのに必要なビットストリームの量が供給されてない等の理由により、安定した復号動作を行うために必要なビットストリーム量のデータが存在しない領域である。
【００４４】
このようにして、ハードディスク６３に記録される信号は、▲２▼で示される記録時点よりも所定時間経過後のビットストリーム領域（１）の期間でなければ再生ができず、その領域（１）の最も早い時間▲１▼を再生している状態をライブ状態と呼ぶことにする。
【００４５】
次に、そのライブ状態で再生中に受信チャンネルの変更を行ったときに得られる映像のつながりについて述べる。
その受信チャンネルの変更がアナログテレビジョン放送に対しなされたときは、ＴＶチューナ５１の図示しないローカル発振器の発振周波数が変更されたチャンネルを受信するための周波数に変更され、変更されて入来する受信信号に図示しない映像信号復調回路の動作が同期状態となる。この時、供給される信号の動作レベルが自動調整されて復調動作が開始されるが、それらの回路動作は所定の遅延時間を伴いながら行われ、その間は正常な映像信号は得られない。
【００４６】
また、一方、チャンネル変更が衛星テレビジョン放送の受信に対してなされるような場合では１０ＧＨｚを超える局部発振出力の周波数安定度の確保に、またＭＰＥＧ−２で圧縮符号化されて放送されるＢＳディジタル放送受信の場合ではＩ（Intra-coded）フレームが復号されるまでの間は正常な圧縮符号化信号の復号がなされない。また、例えば地上波ディジタル放送の受信に対しては、１０００本を超えるキャリアが用いられるＯＦＤＭ（Orthogonal Frequency Division Multiplexing）放送波への同期のために更なる動作時間が必要であるなど、チャンネル変更の操作がなされてから正常な映像信号が得られるまでには所定の時間が必要である。
【００４７】
そのチャンネル変更の操作がなされてから正常な映像信号が得られるまでの間、正常でない映像信号をＭＰＥＧ−２エンコーダで符号化してハードディスク６３に記録して再生することは出来るが、キャッシュ再生時にそのような正常でない映像が表示されてしまうことは好ましくない。
【００４８】
その正常でない映像が、視聴者によりチャンネル変更操作のなされたときに生じるのは、操作に伴って生じた映像であるとして視聴者に与える違和感は少ないが、過去の操作時の正常でない映像がキャッシュ再生時に突如として表示されるのは、視聴者に不快な印象を与えてしまうことになり、そのような映像は表示しないのが望ましい。
【００４９】
図４に、チャンネル変更時に表示される映像の状態を時間軸上で模式的に示す。
同図において、領域（１１）は受信チャンネルＡが受信され、領域（１２）はチャンネル変更途中の乱れた映像が記録されている。そして領域（１３）はチャンネル設定がＢに変更され、正常なチャンネルＢの映像信号が記録されている区間を示す。
【００５０】
即ち、▲４▼はビットストリームを記録している現在時点であり、▲３▼はその▲４▼で記録された信号がハードディスクより読み出されて、バッファメモリ７１に一時蓄積され、その後にＭＰＥＧ−２デコーダで復号されて復号信号が得られる時点であり、その手前の▲５▼は変更されたチャンネルＢの映像が正常に再生可能とされる時点である。
【００５１】
次に、ＭＰＥＧ−２エンコーダ５３のエンコード状態を操作してチャンネル変更途中の乱れた映像が表示されないようにする動作例を示す。
図５に、チャンネル変更時になされるエンコーダへの動作とハードディスクに記録される映像信号の時間関係について模式的に示す。
【００５２】
同図において、受信チャンネルの設定がＡとされると、領域（１１）ではチャンネルＡの圧縮符号化された映像信号が記録さる。そして、時点▲３▼において受信チャンネルがＡからＢに変更操作がなされるときは、その操作信号を基にＭＰＥＧ−２エンコーダのエンコード動作を中止させ、その中止させた後の時点▲６▼において受信チャンネルの変更動作を開始するようにしてチャンネル変更時に生じる乱れた映像信号の符号化がなされないようにする。
【００５３】
エンコードが中止された後もバッファメモリ５５などに記憶されているチャンネルＡの符号化信号が存在しているときは、ハードディスク６３への記録が継続される。チャンネルＡの符号化信号が存在しなくなる手前の時点▲７▼において映像信号の記録が中止されることにより領域（１２）には信号は記録されなく、チャンネル変更途中の乱れた映像信号は再生されないことになる。
【００５４】
その間、ＴＶチューナ５１では設定されたチャンネルＢの正常な映像信号を得るべく同期動作等がなされている。そして、安定した映像信号の得られる時点▲８▼よりＭＰＥＧ−２エンコーダ５３のエンコード動作が再開される。
【００５５】
そのエンコードの開始時点▲８▼は、ＴＶチューナ５１より同調の動作完了に係る信号を得てからエンコードを再開させることによりチャンネル変更途中の乱れた映像の符号化を防ぐことができる。また、仮に設定されたチャンネルが誤っており放送のなされていないチャンネルであったり、放送が終了されていて受信信号が得られないような場合には、その雑音信号の符号化を開始するような動作を防ぐことができる。
【００５６】
そして、供給される映像信号が図示しない外部映像信号入力端子より供給されるような信号である場合は、その同期に係る信号を容易に得ることができないので、そのことを考慮して、例えば５００ミリ秒を同期に係る所定時間とし、チャンネル切り替え操作後その所定時間の経過を待ってＭＰＥＧ−２エンコーダのエンコードを開始させるようにしている。
【００５７】
そして、ＭＰＥＧ−２エンコーダで変更されたチャンネルの圧縮符号化された映像信号の、Ｉフレームに係る符号化信号がハードディスク６３に供給される時点９より記録が再開され、領域（１３）にはチャンネルＢに設定された信号が記録される。
【００５８】
そして、このようにしてＭＰＥＧ−２エンコーダの動作を一時停止さた後にエンコードを再開させるような場合では、記録される圧縮符号化信号（ビットストリーム）のタイムスタンプが不連続となってしまう。そして、タイムスタンプが不連続であるとする情報を符号化信号と共に記録しておくことにより、再生シーケンスの乱れを軽減することができる。
【００５９】
しかし、ＭＰＥＧ−２デコーダの種類によって、その再生シーケンスの乱れとして一瞬映像がフリーズされるような場合もある。そのフリーズされる時点はプログラムソースが他のプログラムソースに変更されるときであるので、視聴上好ましくないとされるケースは少ない。
【００６０】
以上のようにして、ハードディスク６３に記録された映像信号にはチャンネル変更途中の乱れた映像信号が記録されることがないため、その記録された映像信号をキャッシュ再生により視聴するような場合であっても乱れた信号が再生されることはなくなる。
【００６１】
そして、そのようなチャンネル変更に伴い生じる乱れた映像信号の処理は、ＭＰＥＧ−２エンコーダのエンコード動作を継続させたままエンコーダに供給される映像及び音声信号をミュート信号とする方法によっても良い。そして、その方法ではＭＰＥＧ−２エンコーダに一時停止機能が装備されていないようなＭＰＥＧ−２エンコーダに対して有効である。そのミュート用信号としては単色信号でも良く、また、複数のミュート色の信号が使用可能とされている。さらには、ミュート用信号を予め圧縮符号化した信号をメモリに蓄積しておき、ミュート時にその信号を読み出して用いるようにしても良い。
【００６２】
図６に、そのミュート信号発生器によりミュート信号を発生させる場合の構成を示す。
同図に示す構成は、前述の図１に示した構成に対してＡ／Ｄ変換器５２とＭＰＥＧ−２エンコーダ５３の間にマイコン７６により制御される切り替えスイッチが接続されており、その切り替えスイッチによりＡ／Ｄ変換器５２からの信号又はミュート信号発生器５６で発生されるミュート信号のいずれかが切り替えられてＭＰＥＧ−２エンコーダ５３に供給されるようになされている。
【００６３】
そして、スイッチの切り替えを行なうマイコン７６は、リモコン９５が操作されて生じるリモコンインタフェース７９からの信号が供給された時点でミュート信号発生器５６で発生される信号がＭＰＥＧ−２エンコーダに供給されるようにスイッチが切り替えられる。そのスイッチ切り替えの後、例えば５００ｍ秒の所定の時間が経過したときに再びＡ／Ｄ変換器５２からの信号がＭＰＥＧ−２エンコーダ５３に供給されるように再度スイッチの切り替えが行なわれる。
【００６４】
このようなミュート処理により、ＭＰＥＧ−２エンコーダのエンコード動作を継続させたままでもチャンネル切り替え時の乱れた映像信号がキャッシュ再生のときに生じるのを防ぐことができる。
【００６５】
なおここで、ＭＰＥＧ−２エンコーダに、上記と同様なミュート信号を発生させる機能が内蔵されているときは、マイコン７６により直接ＭＰＥＧ−２エンコーダのミュート機能を制御することにより、ＭＰＥＧ−２エンコーダ５３はＴＶチューナ５１で生じるチャンネル切り替え時の正常でない映像信号の符号化を行なうことなく、その代わりに上記のようにミュート信号を符号化した信号をストリームアナライザ５４に供給するようにしても良い。
【００６６】
なお、上述の説明において、映像信号を中心とするミュート処理の説明を行ったが、音響信号に対するミュート処理も必要であり、そのときの処理は無音信号として処理される。
【００６７】
このようにして、ＭＰＥＧ−２エンコーダに供給されるチャンネル切り替え時の正常でない信号をミュート信号に置換した信号として供給することができる。そして、ＭＰＥＧ−２エンコーダは正常でない映像信号のエンコード処理を行なうが、次にそのエンコードされた乱れた映像信号を出力信号としない場合の例について述べる。
【００６８】
すなわち、この例としては、ＭＰＥＧ−２エンコーダはエンコードした圧縮符号化信号をハードディスク６３に記録するに際し、セクター毎に分割された圧縮符号化信号とされ、それらの分割された符号化信号は媒体への記録位置アドレス、及びＭＰＥＧ−２符号化画像のＧＯＰ（Group of Picture）の構造に係るＩフレーム（ピクチャ）の記録位置情報などが管理情報により管理されて記録される場合である。
【００６９】
その動作について前述の図１を用いて述べる。まず、ＭＰＥＧ−２エンコーダ５３で圧縮符号化された信号はストリームアナライザ５４、バッファメモリ５５、及びハードディスク記録再生器６１を介してハードディスク６３に供給される。そのハードディスク６３に記録される領域はマイコン７６で生成されるディスク管理情報に基づいて書き込み読み出し制御器６５が制御され、所定の記録領域に記録されるようになっている。
【００７０】
そこで、リモコンインタフェース７９により受信チャンネルの変更に係る操作信号が供給されたときは、受信チャンネルの変更に係るフラグ情報を、例えば５００ｍ秒の期間ディスク管理情報に書き込むようにし、キャッシュ再生はその管理情報を参照しつつ書き込み読み出し制御器６５により制御されて、そのフラグの書き込まれている個所をスキップして再生を行う。
【００７１】
当然のことながら、そのスキップするためのフラグの記録場所は、管理情報記録領域に行う外に圧縮符号化されたビットストリームのヘッダ領域に記録するようにし、そのヘッダに書かれるフラグ情報を参照しつつその個所のキャッシュ再生を停止、又はスキップ再生を行なうようにしても良い。また、そのフラグを一時記憶メモリ７８に記憶する方法もある。
【００７２】
そして、そのようなランダムアクセスが可能な記録媒体に記録された信号の再生スキップの手法は、記録されたＣＭ（commercial message）部分をスキップして再生する技術が応用でき、その技術は本願発明者が発明し本願出願人により出願された特願２０００−２９３７３９「映像信号記録装置、映像信号再生装置、及び映像信号記録再生装置」（本願出願時に未公開）に開示されている。
【００７３】
また、同出願に開示されているＣＭスキップは、受信されるテレビジョン信号はそのままハードディスクなどの記録媒体に記録する。そして、記録された信号がＣＭ信号として検出されるときはその部分がＣＭ信号であることを管理情報領域にフラグを立てて「ＣＭ部である」ことを識別する。再生に際してはそのフラグ情報に基づいてＣＭ部をスキップしたり、ＣＭ部を高速再生するようにしている。
【００７４】
ＣＭの場合には高速再生によりＣＭ部の記録内容を短時間で再生でき、ＣＭ部を番組中の時間的なポインタ（目印）として利用できるなど便利な面がある。しかし、チャンネル切り替え時の場合にはそのような便利さはないので、その部分の高速再生は行なわず、その部分をスキップするようにする。
【００７５】
そして、そのスキップ動作に伴い、表示される映像が瞬間的にフリーズされることもあるが、そのチャンネル切り替え時に生じるフリーズ再生画像はチャンネルが切り替えられたことにより生じるフリーズ画像であり、番組の連続性が中断されている個所でもあるので、視聴上の問題とはならない。
【００７６】
このようにして、チャンネル切り替え時に生じる乱れた映像の表示をフラグにより管理し、その部分のキャッシュ再生を行わないようにする。そして、そのフラグにより識別される記録部分の映像信号は不要な映像信号であるため、その個所の映像を記録しないようしたり、また、記録後の空き時間に消去してしまう方法がある。
【００７７】
その不要な映像信号部を記録しない方法としては、チャンネル切り替えにより過渡的に生じる乱れた映像であるとされる部分の圧縮符号化信号部分の記録は行わない。そして、そしてその信号部分に係る管理情報には「記録せず」とする管理情報を記録するものである。また、予め全ての信号を記録しておき、記録が終了した時点で、フラグ情報を基に不要とされる映像信号を消去してしまう方法によっても構わない。
【００７８】
これらの方法を用いて、チャンネル切り替え時に生じる乱れた映像が表示されないようにできる。次に、そのチャンネル切り替えが続けて複数回行われるような場合における信号の処理方法について述べる。
【００７９】
その複数回連続的に行われるチャンネル切り替えは、例えば視聴中のチャンネル４の番組に続いて、チャンネル６及び８が短時間ずつ視聴され、次のチャンネル１０が長時間視聴されたような、チャンネルアップボタンが操作されて切り替えられるような場合である。
【００８０】
図７に、そのようなチャンネル切り替えのなされた状態を模式的に示す。
同図において、（ａ）はリモコン９５が操作されて、リモコンインタフェース７９から供給される設定チャンネルの状態である。（ｂ）はＭＰＥＧ−２エンコーダ５３及びバッファメモリ５５などにより所定の遅延時間が与えられてハードディスク６３に供給される信号をチャンネル番号と共に示したものである。（ｃ）はハードディスク６３から再生される映像信号を示したものである。
【００８１】
そして、このようになされる複数チャンネルの短時間切り替え操作に対しては、途中のチャンネルを視聴する目的ではないと判断し、複数の連続的な操作を経て目的とする視聴チャンネルの切り替えがなされた場合であると判断する。例えば、１秒以内で順次切り替えられるような場合には、視聴目的ではないと判断する。
【００８２】
キャッシュ再生の場合には、順次チャンネル切り替えされる前に記録された番組に遡って再生出来るが、このキャッシュ再生の場合には他の問題がある。
【００８３】
その問題は、例えば１０秒程度の短い時間のみ視聴されたチャンネルの映像も含めて遡って再生できる様にすると、短時間だけそのチャンネルの映像が再生されて次のチャンネルの映像が再生されることになる。その間、チャンネル切り替え動作による乱れた映像の再生はなされないものの、再生される番組の内容には連続性はないため、視聴者によっては不快に感じる場合もある。
【００８４】
そこで、前述したように視聴時間が所定の時間に満たない例えば１０秒以内のチャンネルの映像信号部分の再生は行わないようにする。即ち、１０秒以内の記録信号には前述と同様のフラグ情報を、管理領域に記録し、そのフラグの記録された領域の圧縮符号化信号の再生を行わないようにする。あるいは、その部分の信号を消去するなどにより、過去に記録された、短時間の番組しか記録されなかったチャンネルの映像信号の再生をスキップするようにする。
【００８５】
そのスキップ再生は、図７において（ｂ）ハードディスク（ＨＤ）記録信号のｃｈ６及びｃｈ８の記録部分をスキップ期間とし、（ｃ）ハードディスク再生信号としてはチャンネル４の信号に続いてチャンネル１０の信号が再生されるようにする。
【００８６】
そのようにして、視聴時間の短いチャンネルの再生をスキップした方が、視聴者の視聴希望が高い番組のみの再生を行うことができるため、このようにしてなされるキャッシュ再生は視聴者にとって快適であるとされるケースが多い。当然に、そのような動作はマイコン７６に制御されて前述と同様にしてなされる。
【００８７】
さらに、視聴者にとってキャッシュ再生の場合において、キャッシュ再生中のチャンネル情報やソース情報が示されれば、視聴者にとって極めて便利なものとなる。
【００８８】
そのキャッシュ再生時のチャンネル情報は、管理情報として記憶しておき、そのチャンネル情報をＯＳＤ７３により再生中の映像信号に多重して表示するようにする。
【００８９】
通常のＯＳＤ機能は、例えば視聴チャンネルが切り替えられたときに切り替えられたチャンネルを表示し、所定時間経過後にその表示が中止され、切り替えられた映像番組のみが表示されるようになされている。
【００９０】
キャッシュ再生動作中において、その再生中のチャンネル映像とは異なったチャンネル映像を再生するに至った場合には、その時点での異なったチャンネル映像のチャンネルを表示させるようにする。それにより異なるチャンネルの番組が再生されていることを視聴者に認識させる。
【００９１】
そして、そのキャッシュ再生において、記録されている映像が外部入力端子を経て記録された映像であったり、入力ソースが不明でチャンネル情報のない映像を再生するに至った場合には、入力ソース等が不明であるとする識別表示、例えば「＊＊」のような記号をその映像信号に多重して表示するようにする。
【００９２】
そのようになされたキャッシュ再生のチャンネル表示は、今、例えば現在受信中のチャンネルが８チャンネルであり、現在より１０分前に１０チャンネルを、更にそれよりも５分前には８チャンネルを視聴し、現在ライブ状態で視聴しているとする。そのライブ状態で再生中の位置より１０分間遡って再生されている間は８ｃｈと表示する。更に遡って再生される場合には１０チャンネルの表示をするか、あるいは「＊＊」の表示をする。
【００９３】
図８に、キャッシュ再生時のチャンネル表示画面の例を示す。
同図において、記録と同じチャンネルの映像がキャッシュ再生されているときはその受信中の例えば１０チャンネルのチャンネル番号１０を示し、記録中と異なるチャンネルの映像がキャッシュ再生されているときはそのチャンネルが異なっていることを「＊＊」のような記号を用いて示す。
【００９４】
このようにして、例えば「＊＊」のような数字でない識別記号を用いてチャンネル表示を行なうことによリ、キャッシュ録再により異なるチャンネルまで遡って再生中であることを忘れた視聴者が、チャンネルが替わっていなかったと誤解して誤ったチャンネル切り替え操作を行うような誤操作を防ぐことができるものである。
【００９５】
このような、視聴者に対して誤操作をさせるような誤解を与えるのは、記録中のチャンネルとは異なる過去に視聴していたチャンネルまで遡ってキャッシュ再生を行っている時である。そのようなキャッシュ再生時にチャンネル切り替え操作がおこなわれようとしたときには、そのチャンネル操作が誤ってなされようとしたものであるか、あるいは正規になされようとしたものであるかを確認する必要がある。
【００９６】
そこで、記録中と異なるチャンネルまで遡ってキャッシュ再生を行っているときにチャンネル切り替え操作がなされたときは、現在視聴中の映像をライブ状態の映像に変更して表示する。それにより、記録中のチャンネルに対してのチャンネル切り替え操作が行われたことを視聴者に知らせる。
【００９７】
または、ライブ状態の映像に対してチャンネル変更が必要であるか否かの判断を求め、それに対する視聴者による操作を基にしてチャンネル変更を行うようにしても良い。
すなわち、１回のチャンネル変更操作でライブ状態にしてからチャンネル変更を行うか、又は１回目のチャンネル変更操作でライブ状態にして現在記録中の映像を表示し、２度目のチャンネル変更操作がされてはじめて操作されたチャンネルに変更するかのいずれかにより行うようにするものである。
【００９８】
そして、１回の操作でチャンネル変更までなされたときに、視聴者が誤ったチャンネル変更であると認識した場合には、元のチャンネルに再変更を行うことになる。そして、その場合ではキャッシュ再生のための映像は一部欠落することになる。しかし、実用的には大きな問題とはならない。
【００９９】
このようにして、遡った時間の位置でキャッシュ再生時にチャンネル変更操作がなされたときに、１度の操作で設定されたチャンネルの受信及び記録を行うか、あるいは１度の操作でライブ状態とし、２度目の操作で設定されたチャンネルの信号を受信するように動作させるかは、視聴者の操作性のニーズに応じて適宜選択される。
【０１００】
このようにして、１つのキャッシュメモリに複数チャンネルの映像信号を記録して再生できるキャッシュ再生機能により、遡った時間の再生を行いながらチャンネル切り替え操作を行う場合は、再生状態を一旦記録直後の再生ライブ状態とすることによりチャンネル切り替えの操作ミスを軽減することができる。また、異なった番組を跨いでキャッシュ再生するに際しては、その異なった番組の再生であることをＯＳＤ機能により表示するようにするものである。
【０１０１】
そのチャンネル切り替えを跨いで再生される番組に多重して表示するＯＳＤの機能は、チャンネル情報をチャンネル切り替え操作時に切り替え番組に対応した表示をしたり、あるいは、前の再生番組とは異なった番組を再生中であることを、数字ではない「＊＊」などの識別表示で認識させるようにするものである。
【０１０２】
以上のようにして、複数の番組を記憶可能なキャッシュメモリを用いて、視聴者は複数放送される番組情報の時分割的な視聴を行えるものであり、且つ最も興味のある番組の内容を記憶しておき、その番組を好きな再生速度により繰り返して再生することも可能であるなど、放送される複数の番組に対して有効な視聴がなされる。
【０１０３】
次に、インデックスサーチ機能について説明する。
図９に、留守番録画と同様にしてキャッシュメモリにキャッシュ録画を行った場合の記録時間と記録チャンネルの関係を例示する。
同図におけるキャッシュ録画は、１８：００より４ｃｈを、１８：３０から６ｃｈを、そして１９：００から１０ｃｈをのように行った場合である。
【０１０４】
このようにしてキャッシュ予約がなされてキャッシュ録画がなされた場合、そのチャンネルの録画開始位置にその録画開始の位置を示すポインタ情報を設定し、そのポインタ情報を基に番組のアクセスができるようにする。
【０１０５】
そのように予約して記録された番組の再生が、例えば１９：２０から開始されるような場合は、まず１８：００よりの記録内容を再生し、視聴者の趣向に応じて１８：３０より記録された番組をポインタを用いて「インデックスサーチ」の再生を行なう。
【０１０６】
そのようなインデックスサーチ的な再生は、１８：００から記録した番組を、時間表示を基に１８：３０から記録した番組まで早送り検索するよりも、リモコンキーを数回操作するのみで１９：００、１８：３０、ないしは１８：００から記録された番組を頭出しして再生が出来るなど、操作性が極めて良い。
【０１０７】
この例での映像信号記録装置では、ハードディスクに記録される圧縮符号化信号は、管理領域に受信チャンネル情報とハードディスクへの記録アドレスに係る情報が記録される。そして、その管理情報に基づいて再生がなされるため、その管理領域に記憶される受信チャンネル情報を基に再生を行なうことが可能であり、それに加えて前述したようなインデックスサーチの機能を併せ持たせることができるものである。
【０１０８】
以上、放送される信号を受信して、キャッシュ録再を行う映像信号の記録再生方法、及び映像信号記録再生装置の構成とその動作について述べた。そして、それらの動作はマイコン７６に格納されるコンピュータプログラムにより実行されている。
【０１０９】
図１０に、前述の図１に示した本実施例装置の動作に係るフローチャートを例示し、説明する。
このフローを実行させるプログラムは、例えばマイコン７６に接続される一時記憶メモリ７８に格納され、装置の制御動作を行う。
まず、Ｓ（ステップ）１１において、リモコン９５が操作されるとその操作情報はリモコンＩ／Ｆ７９を介してマイコン７６に供給され、そこでチャンネル変更操作が認識される。
【０１１０】
そして、Ｓ１１においてチャンネル変更操作が認識されないときにはＳ１７の動作に移る。また、チャンネルの変更操作が検出されたときには、Ｓ１２においてチャンネル変更時点での検出信号がＭＰＥＧ−２エンコーダに供給される。そこで、圧縮符号化のなされる映像信号には再生停止に係るフラグ信号が設定される。
【０１１１】
次に、Ｓ１３においてマイコン７６に内蔵されるタイマのカウントを開始する。そして、Ｓ１４でのタイマのカウントは継続される。Ｓ１５では、タイマのカウント数が所定のカウント数に達したかどうかが検出される。
【０１１２】
その所定数のカウントは、ＴＶチューナ５１からチャンネルが変更されて正常な映像信号が供給される時点までの期間に係るカウント数である。その数のカウントがなされたときにＳ１６において、Ｓ１２で設定された再生停止フラグの解除設定がなされる。
【０１１３】
そのフラグ情報の付される映像信号はハードディスク６３に記録されて、再生される。その再生は、Ｓ１７で再生停止フラグが検出されるときにはその再生場所をスキップし、再生停止フラグの設定されていない領域の記録信号がアクセスされて再生される。
【０１１４】
Ｓ１９で、正常な映像信号が再生され、バッファメモリ７１で時間軸伸長される。ＭＰＥＧ−２デコーダ７２で復号化処理がなされて再生映像信号が得られる。その再生動作はＳ２０において再生動作終了の操作がなされて一連の記録及び再生動作を終了する。
【０１１５】
以上、映像信号記録装置４０に内蔵されるマイコン７６を動作させるプログラムを基に実行される動作をフローチャートにより示し、その流れについて述べた。そして、そのプログラムは予め装置に組み入れられている場合、あるいは図示しないプロバイダの記憶装置に格納されているものがインターネットなどを介して装置に組み入れられる場合がある。そして、そのプログラムが用いられて実行される上記の動作は、ディジタル映像信号の供給される映像信号記録装置４０ａにおいても同様になされ、チャンネル切り替え時に生じる異常な映像信号を除いたキャッシュ録再がなされる。
【０１１６】
次に、キャッシュ記録されて再生される映像信号の遅延時間について述べる。その遅延時間は、記録及び再生のために映像信号の圧縮符号化、記録媒体への記録、再生、及び復号などの動作上必要な時間である。
【０１１７】
即ち、それらの動作は所定の時間を伴って行われるため、キャッシュ録再は遅延時間を伴って行われることになる。従って、例えば失敗の許されない記録の場合は多少の遅延時間よりは記録が確実に所定の品質でなされていることをリアルタイムでチェックしながら記録再生を行うこととなる。しかし、それほど厳重に行なう必要のない記録再生では、記録時には遅延時間の少ない信号を再生しつつ記録を行う方が望ましい。
【０１１８】
図１１を用いて、記録済み信号やこれから記録を行なう信号に対するの３つの再生方法について示す。
同図において、符号ａ１〜ａ４で示される太い実線による信号の流れは、前記のハードディスクに記録した信号を再生するときの信号の流れである。
【０１１９】
そして、遅延時間の少ない再生方法としては、例えば点線でｂとして示すようにＭＰＥＧ−２エンコーダで圧縮符号化を行なった映像信号をＭＰＥＧ−２デコーダ７２に供給して復号化を行ない、その復号化された信号をモニタＴＶ９０に表示するようにして映像品質をモニタする方法がある。
【０１２０】
このような映像信号の圧縮符号化及び復号を行ないながら映像信号の記録を行う方法では、記録媒体に異常があるときにその検出を行うことはできないが、誤って記録信号の伝送レートを低く設定してしまったような場合で、圧縮符号化時に歪が生じてモニタされるため、その圧縮符号化による不具合を記録中に発見することができる。
【０１２１】
その圧縮符号化及び復号化を行なう場合においても遅延時間は生じており、さらに遅延時間の少ない映像信号のモニタを行なう必要がある場合もある。そのときには、点線でｃとして示すように、Ａ／Ｄ変換器５２より供給される信号をＯＳＤ７３に供給し、必要なチャンネル表示などのＯＳＤ機能と共に受信される映像信号をモニタＴＶ９０に表示する方法である。
【０１２２】
この場合は、受信される映像信号に遅延時間がほとんど生じないため、例えば供給される信号が図示しない外部端子より供給されるカメラ撮影映像信号をモニタＴＶによりモニタしながら、その映像信号にタイトル画を多重するといったような操作も適切に行なうことができる。
【０１２３】
そして、この遅延時間を伴わないモニタ表示によるＴＶ放送の受信においても、チャンネルが変更されて得られる映像信号を即座に表示することができる。その方法は、レスポンスの良い受信チャンネル変更の操作、ないしは記録中の受信チャンネルが適性であるかどうかをスピーディにチェックすることができるなど好ましいものである。
【０１２４】
以上述べたようにして、モニタ表示すべき映像信号は、ディジタル信号に変換された直後の信号、圧縮符号化のなされた信号、媒体に記録する直前の信号、さらには媒体に記録した信号を再生した信号など、そのときに記録する映像信号の内容に応じて視聴者が希望する個所の信号を選択して表示出来るようにする。それにより、目的に合った映像信号のモニタリングを行なえ、好適である。
【０１２５】
このようにして、ランダムアクセス記録の出来る記録媒体を用いる映像信号記録装置における再生信号のモニタ方法には複数の方法があるが、その映像信号記録装置の構成にも複数の方法がある。即ち、映像信号記録装置４０を、記録部５０と媒体部６０により構成される映像信号記録装置として、また再生部７０を映像信号再生装置として構成する方法である。
【０１２６】
そして、それらの映像信号記録装置と映像信号再生装置は異なる場所に設置され、それらの離れた場所に設置される装置はホームネットワークなどにより結合して動作させることができる。
【０１２７】
そのときの映像信号記録装置はホームサーバーとされて家庭内に設置され、そのホームサーバーに映像信号再生装置がホームネットワークで接続され、その映像信号再生装置がモニタテレビの設置される部屋ごとに、複数のセットトップボックスとして設置されるものである。
【０１２８】
この場合、そのホームサーバーはビットストリーム送出装置として、セットトップボックスはビットストリーム受信端末として構成され、両者は高速無線ＬＡＮ、あるいはホームＬＡＮなどにより結合され、双方向通信を行いながらハードディスクに記録される映像信号情報が各部屋からの操作命令により、目的とするビットストリームが使用者の操作するセットトップボックスを介して、視聴されるようになされる。
【０１２９】
このように、離れた場所に送信端末と受信端末としての記録装置と再生部を設置し、通信手段で結合して動作させる場合は、複数の送信端末と、複数の受信端末がネットワークを介して結合されて動作させるネットワーク形映像システムを構成することになる。
【０１３０】
さらに、媒体部に用いられる記録媒体はハードディスクを中心として述べたが、記録媒体は高速アクセスが可能な媒体、例えば光磁気ディスク、ＲＡＭ形、又はＲＷ形のＤＶＤ、そして半導体メモリ形記録媒体等の他の記録媒体を用いた装置にも適用できる。
【０１３１】
また、映像信号の符号化方式をＭＰＥＧ−２方式を例として述べたが、圧縮符号化の方法はこれに限らず、俗にモーションＪＰＥＧと呼ばれるフレーム内符号化による方法、あるいはＭＰＥＧ−４方式、ＭＰＥＧ−７方式、これから規格化の開始されるＭＰＥＧ−２１方式、その他フラクタルの圧縮手法を用いるものなどであってもよい。
【０１３５】
【発明の効果】
また、請求項１記載の発明によれば、受信チャンネルの設定が変更されたときに生じる正常でない映像信号の記録が開始される第１の記録位置と、映像信号が正常となったときの第２の記録位置情報とを基に、その第１と第２の記録位置の間の信号をスキップして再生するようにしているので、視聴中の番組を過去に遡って視聴することのできるキャッシュ再生機能を搭載し、過去にチャンネル切り替え操作を行なったときに生じた乱れた映像を再生することのない映像信号の記録再生方法を提供できる効果がある。
【０１３８】
また、請求項２記載の発明によれば、記録した信号を過去に遡って再生する際に、チャンネルの設定がなされて受信されたチャンネルの視聴時間が所定時間以上継続しない映像信号をスキップして再生するようにしているので、過去にチャンネル切り替え操作が行われた視聴時間の短い番組部分の再生を行なわない映像信号の記録再生方法を提供できる効果がある。
【０１４５】
また、請求項３記載の発明によれば、受信チャンネルの設定が変更されたときに生じる正常でない映像信号の記録が開始される第１の記録位置と、映像信号が正常となったときの第２の記録位置に係る情報を基に、それらの第１と第２の記録位置の間に記録された信号の読み出しを行わないようにしているので、視聴中の番組を過去に遡って視聴することのできるキャッシュ再生を、過去にチャンネル切り替え操作を行なったときに乱れた映像を再生することのない、映像信号記録再生装置の構成を提供できる効果がある。
【０１４８】
また、請求項４記載の発明によれば、受信チャンネルの設定が変更されたときに生じる正常でない映像信号の記録が開始される第１の記録位置と、正常な記録の行われる第２の記録位置情報を基に、それらの第１と第２の記録位置の間の信号をスキップして再生するようにしているので、視聴中の番組を過去に遡って視聴することのできるキャッシュ再生機能を有し、且つ過去にチャンネル切り替え操作を行なったときに生じる乱れた映像を再生することのない映像信号記録再生装置を制御して動作させるプログラムを提供できる効果がある。
【図面の簡単な説明】
【図１】本発明の実施例に係る映像信号記録再生装置の概略ブロック図である。
【図２】本発明の実施例に係る映像信号記録再生装置の概略ブロック図である。
【図３】本発明の実施例に係り媒体に記録される圧縮符号化信号の時間関係を示した図である。
【図４】本発明の実施例に係る受信チャンネル切り替え時に記録される圧縮符号化信号の時間関係を示した図である。
【図５】本発明の実施例に係る受信チャンネル切り替え時に記録する圧縮符号化信号の時間関係を示した図である。
【図６】本発明の実施例に係る映像信号記録再生装置における信号切り替え部のブロック図である。
【図７】本発明の実施例に係る映像信号記録再生装置のチャンネルスキップの時間関係を示した図である。
【図８】本発明の実施例に係る映像信号記録再生装置のキャッシュ録再時のチャンネル表示を例示した図である。
【図９】本発明の実施例に係る映像信号記録再生装置のキャッシュ予約録画に係る時間関係を例示した図である。
【図１０】本発明の実施例に係る映像信号記録再生装置の動作をフローチャートにより例示した図である。
【図１１】本発明の実施例に係る映像信号記録再生装置の再生に係る接続方法を例示した図である。
【符号の説明】
４０、４０ａ  映像信号記録再生装置
５０、５０ａ  エンコーダ部
５１  ＴＶチューナ
５１ａ  ＢＳチューナ
５２  Ａ／Ｄ変換器
５３  ＭＰＥＧ−２エンコーダ
５４  ストリームアナライザ
５５  バッファメモリ
５６  ミュート信号発生器
５８  ミューティング回路
６０  記録再生部
６１  ハードディスク記録再生器
６３  ハードディスク
６５  書き込み読み出し制御器
７０  デコーダ部
７１  バッファメモリ
７２  ＭＰＥＧ−２デコーダ
７３  ＯＳＤ
７４  Ｄ／Ａ変換器
７６  マイコン
７８  一時記憶メモリ
７９  リモコンインタフェース
９０  モニタＴＶ
９５  リモコン
【図１】
0004003000.tif 000002
【図２】
0004003000.tif 000003
【図３】
0004003000.tif 000004
【図４】
0004003000.tif 000005
【図５】
0004003000.tif 000006
【図６】
0004003000.tif 000007
【図７】
0004003000.tif 000008
【図８】
0004003000.tif 000009
【図９】
0004003000.tif 000010
【図１０】
0004003000.tif 000011
【図１１】
0004003000.tif 000012